(57)【要約】【課題】    より簡便な方法で道案内を行うための仕組みが求められていた。【解決手段】本発明に係る表示指示方法は、利用者端末から表示コンテンツと住所情報とを含む表示依頼情報を受信する受信ステップと、地図データを用いて、駅／バス停から前記住所までの経路を選択する経路選択ステップと、前記選択された経路に基づき、該経路に存在する前記表示装置に表示すべき進行方向を決定する進行方向決定ステップと、前記選択された経路に存在する前記表示装置に対して、前記表示コンテンツと前記進行方向を示す情報とを含む表示指示情報を送信する送信ステップと、を含むことを特徴とする。【選択図】  図１
2005148980.tif 000002
【特許請求の範囲】
【請求項１】
複数の表示装置とネットワークで接続されている表示管理サーバによる該表示装置に対する表示指示方法であって、
利用者端末から表示コンテンツと住所情報とを含む表示依頼情報を受信する受信ステップと、
地図データを用いて、駅／バス停から前記住所までの経路を選択する経路選択ステップと、
前記選択された経路に基づき、該経路に存在する前記表示装置に表示すべき進行方向を決定する進行方向決定ステップと、
前記選択された経路に存在する前記表示装置に対して、前記表示コンテンツと前記進行方向を示す情報とを含む表示指示情報を送信する送信ステップと、
を含むことを特徴とする表示指示方法。
【請求項２】
前記表示依頼情報は、表示開始時間と表示終了時間とを含み、
前記送信ステップは、前記表示開始時間に基づいて前記表示指示情報を送信し、前記表示終了時間に基づいて表示停止を指示する表示停止指示情報を送信することを特徴とする請求項１記載の表示指示方法。
【請求項３】
コンピュータに、
利用者端末から表示コンテンツと住所情報とを含む表示依頼情報を受信する受信ステップと、
地図データを用いて、駅／バス停から前記住所までの経路を選択する経路選択ステップと、
前記選択された経路に基づき、該経路に存在する表示装置に表示すべき進行方向を決定する進行方向決定ステップと、
前記選択された経路に存在する前記表示装置に対して、前記表示コンテンツと前記進行方向を示す情報とを含む表示指示情報を送信する送信ステップと、
を動作させることを特徴とする表示指示プログラム。
【発明の詳細な説明】
【技術分野】
【０００１】
本発明は、複数設置された表示装置に対して、表示指示を行う表示指示方法に関する。
【背景技術】
【０００２】
従来より、街角には、様々な案内情報を示す方法が存在した。例えば、葬儀を自宅で行う場合であれば、駅から自宅までの経路に道案内用のプラカード若しくは提灯を持った人を立たせたり、指差しと呼ばれる道案内札を掲示したりしていた。また、マンションのモデルハウスや新規開店のお店等の場合であっても、葬儀と同様、プラカードを持った人を立たせたりしていた。
【発明の開示】
【発明が解決しようとする課題】
【０００３】
上述した従来技術は、葬儀や販売促進のための一時的なイベントであるにもかかわらず、人手に頼ることとなり、非常に経費がかかるという問題が生じていた。また、一部では、電信柱に捨て看板を縛り付けてそのまま放置されるという問題も生じていた。
【０００４】
そのため、より簡便な方法で道案内を行うための仕組みが求められていた。
【課題を解決するための手段】
【０００５】
本発明に係る表示指示方法は、利用者端末から表示コンテンツと住所情報とを含む表示依頼情報を受信する受信ステップと、地図データを用いて、駅／バス停から前記住所までの経路を選択する経路選択ステップと、前記選択された経路に基づき、該経路に存在する前記表示装置に表示すべき進行方向を決定する進行方向決定ステップと、前記選択された経路に存在する前記表示装置に対して、前記表示コンテンツと前記進行方向を示す情報とを含む表示指示情報を送信する送信ステップと、を含むことを特徴とする。
【０００６】
このように構成することにより、利用者は当該表示指示方法を実施する表示管理サーバにアクセスし、表示コンテンツと住所情報とを入力するのみで、適切な道案内情報を街角の表示装置に表示することが可能となる。
【０００７】
また、本発明に係る表示指示方法は、前記表示依頼情報は、表示開始時間と表示終了時間とを含み、前記送信ステップは、前記表示開始時間に基づいて前記表示指示情報を送信し、前記表示終了時間に基づいて表示停止を指示する表示停止指示情報を送信することを特徴とする。
【０００８】
このように構成することにより、表示の期間を利用者が自由に簡便な方法で指定することが可能になる。
【発明の効果】
【０００９】
上述のように本発明は、複数の表示装置とネットワークで接続された表示管理サーバを用いて、利用者の表示依頼情報に基づいて当該表示装置に表示指示情報を送信するようにしているため、葬儀や販売促進のための一時的なイベントにおいて、必要な道案内情報を簡便な方法で提示することを可能とする。
【発明を実施するための最良の形態】
【００１０】
本発明の実施の形態に係るシステム概要について図1を用いて説明する。
【００１１】
本発明の表示指示方法を実施する表示管理サーバ１００には、ネットワーク１５０を介して利用者が操作する利用者端末１２０が接続されている。この場合のネットワーク１５０は、利用者端末１２０と表示管理サーバ１００が情報の送受信を行うために用いるネットワークであり、例えばインターネット等を指す。また、表示管理サーバ１００には、ネットワークを介して複数の表示装置１４０が接続されている。この場合のネットワークも
表示装置１４０と表示管理サーバ１００が情報の送受信を行うために用いるネットワークであり、前述のネットワーク１５０と同じネットワークでも構わないし、電灯線LANであっても構わない。図１の例は、電信柱１３０に表示装置１４０が設置されており、各電信柱１３０と表示管理サーバ１００とが電灯線LANで結ばれているイメージを示している。
【００１２】
本発明の表示指示方法は、表示管理サーバ１００が利用者端末１２０から表示依頼情報を受信し、各表示装置１４０に対して表示指示情報を送信することで実現される。また、この表示指示方法は、表示管理サーバ１００で動作するプログラム群の処理方法であって、当該プログラム群には、利用者端末１２０から表示依頼情報を受信する表示依頼情報受信プログラム１０１、表示依頼情報に基づき駅／バス停からイベント実施場所までの経路を選択する経路選択プログラム１０２、表示装置１４０への支持情報を作成する表示情報作成プログラム１０３、表示装置１４０へ指示情報を送信する指示情報送信プログラム１０４、進行方向を示す情報を編集（決定）する指示情報編集プログラム１０５、表示停止の指示を送信する停止情報送信プログラム１０６、とが含まれる。これらのプログラムは、表示管理サーバ１００の図示せぬ外部記憶装置に格納されており、各プログラム実行時に内部記憶装置に読み出される。
【００１３】
また更に、表示管理サーバ１００の外部記憶装置には、利用者端末１２０から受信した表示依頼情報を格納する表示依頼情報テーブル１１０、経路選択に使用する地図データを格納する地図データ１１１、表示装置１４０に送信する表示指示情報を格納する指示情報テーブル１１２、各表示装置１４０の情報を格納する表示装置情報テーブル１１３、とが含まれ、必要に応じて、表示依頼情報受信プログラム１０１、経路選択プログラム１０２、指示情報作成プログラム１０３、指示情報送信プログラム１０４、指示情報編集プログラム１０５、停止情報送信プログラム１０６、から参照又は更新される。
【００１４】
次に、本発明の一実施の形態に係る処理概要について、図２を用いて説明する。なお、この説明においては、葬儀の喪主が自宅で葬儀を行う際に、表示管理サーバ１００に対して、電信柱１３０に設置された表示装置１４０に、自宅への道案内情報である指差しを表示させる例を用いる。なお、本実施の形態における表示コンテンツは、“○○家”と表示される家名をさすものとする。
【００１５】
まず、表示管理サーバ１００の表示依頼情報受信プログラム１０１は、利用者端末１２０から表示依頼情報を受信する（Ｓ２０１）。この表示依頼情報には、葬儀を行う場所の住所が設定されている。次に、経路選択プログラム１０２は、この住所から最寄の駅若しくはバス停からの経路を選択する（Ｓ２０２）。そして、指示情報作成プログラム１０３は、選択した経路上に存在する表示装置１４０に対する指示情報を作成する（Ｓ２０３）。具体的には、各表示装置１４０に表示する進行方向を示す情報を作成する。その後、指示情報送信プログラム１０４は、Ｓ２０３で作成した指示情報を各表示装置１４０に送信する（Ｓ２０４）。そして、葬儀が終了したならば、停止情報送信プログラム１０６は、Ｓ２０４で指示した表示を停止する指示を各表示装置１４０に送信する（Ｓ２０５）。
【００１６】
以上、図２の処理フローの如く各処理を実行することで、利用者が必要とする道案内情報を簡便な方法で提示することが可能となる。
【００１７】
次に、図２で説明した各処理につき、それぞれ図面を用いて詳細に説明する。
【００１８】
まず、表示依頼情報受信処理（Ｓ２０１）について、図３のフローを用いて詳細に説明する。利用者が表示管理サーバ１００に道案内の依頼を行う際は、利用者端末１２０を表示管理サーバ１００に接続し、表示依頼画面の取得依頼を行う（Ｓ３０１）。表示管理サーバ１００は、この依頼を受信する（Ｓ３０２）。そして、図４に例示した表示依頼画面４０１を利用者端末１２０に送信する（Ｓ３０３）。
【００１９】
表示依頼画面４０１は、利用者が表示に関する情報を入力する画面で、名前、住所、家名、表示開始日時、及び表示終了日時を入力若しくは選択する項目と、入力した情報を表示管理サーバ１００に送信するための“確定ボタン”、送信せずに終了する“戻るボタン”、とを備える。この画面でいう“家名”とは、道案内情報の表示に添える“○○家”という文字のことである。道案内情報には、この文字情報（表示コンテンツ）と進行方向を表示することになる。
【００２０】
利用者端末１２０は、表示依頼画面４０１を受信する（Ｓ３０４）と、この表示依頼画面４０１を表示する（Ｓ３０５）。そして、利用者は表示に関する情報を入力し（Ｓ３０６）、利用者端末１２０は、入力された情報（表示依頼情報）を表示管理サーバ１００に送信する（Ｓ３０７）。
【００２１】
表示管理サーバ１００の表示依頼情報受信プログラム１０１は、この情報を受信する（Ｓ３０８）と、表示依頼情報テーブル１１０に格納する（Ｓ３０９）。
【００２２】
ここで、表示依頼情報テーブル１１０を、図５の表示依頼情報テーブル５０１に例示する。表示依頼情報テーブル５０１は、表示依頼画面４０１に入力された情報を格納したものであり、氏名、住所、家名、開始日時、終了日時、とから構成されている。
【００２３】
次に、経路選択プログラム１０２は、経理選択処理（Ｓ２０２）を行う。まず、表示依頼情報テーブル５０１から利用者の入力した自宅の住所を抽出し、地図データ１１１のデータを用いてマップマッピングを行い、最寄の駅若しくはバス停を検索する。そして、駅若しくはバス停から自宅までの最小コスト経路（最短時間経路又は最短距離経路）を探索する。最小コスト経路の探索には様々な手法が存在するが、いずれの手法を用いても構わない。ここでは、探索した結果として、経路に存在する交差点の識別子を駅若しくはバス停から自宅までの順番で並べた情報が得られたものとする。この時、経路は複数存在しても構わない。更に、ここでの経路選択は、最適な経路を複数選択するだけでなく、冗長な経路もいくつか含めて選択することも考えられる。このようにすることで、例えば案内表示を見落としてしまって曲がるべき角を曲がり損ねた参列者に対して、本来の経路に戻すための案内を行うことができるからである。また、最寄の駅若しくはバス停が複数検索された場合は、その各々を基点とした複数の経路を選択することになる。
【００２４】
次に、前述の経路に存在する表示装置に表示すべき指示情報を作成する指示情報作成処理（Ｓ２０３）を実行する。この指示情報作成処理（Ｓ２０３）について、図６のフローを用いて詳細に説明する。経路選択処理（Ｓ２０２）において取得した経路情報は、上述のとおり、選択した経路に存在する交差点の識別子を駅若しくはバス停から自宅までの順番で並べた情報であるが、この情報を、順番に読み込む（Ｓ６０１）。これにより、ある交差点から次の交差点までのノード情報を取得することができる。
【００２５】
次に、表示装置情報テーブル１１３を順番に読み込む（Ｓ６０２）。当該テーブルは、表示管理サーバ１００で管理している表示装置の情報を格納したもので、例えば図７の表示装置情報テーブル７０１に示すようなデータ構造となっている。即ち、表示装置を識別するためのＩＤ、表示装置がどの交差点とどの交差点の間に設置されているかを表す交差点識別子１及び交差点識別子２、表示装置毎の矢印の基本方向を表す基本方向、表示装置のＩＰアドレス、とから構成されている。
【００２６】
表示装置情報テーブル７０１を、図８を用いて具体的に説明する。図８は、表示装置情報テーブル７０１の１レコード目に示されているＩＤ１２３の表示装置の場合を説明する図である。このように、表示装置ＩＤ＝１２３の表示装置は、交差点識別子＝３５３００６０と交差点識別子＝１４０１０３４の交差点間にある。そして、表示装置情報テーブル７０１の交差点識別子１及び交差点識別子２については、交差点識別子１から交差点識別子２に向かう方向を基本方向としている。Ｓ６０１で読み込んだ経路情報のノードが基本方向の場合、即ち交差点識別子１から交差点識別子２に向かっている場合に表示する矢印の向きが、表示装置情報テーブル７０１の基本方向に設定されている。表示装置ＩＤ＝１２３の場合は“右”と設定されているので、図８のように右向きの矢印が表示されることとなる。
【００２７】
図６に戻り、Ｓ６０３の処理から説明を続ける。Ｓ６０３では、Ｓ６０２で読み込んだ表示装置情報で特定される表示装置が、現在読み込み中の経路情報のノードに含まれるか否かを判定する。即ち、今回の経路注に存在する表示装置か否かを判定する。この判定において、含まれていると判定された場合は、指示情報編集プログラム１０５は、Ｓ６０５の指示情報編集処理を行う。含まれていないと判定された場合は、処理対象ではないので、Ｓ６０６に進む。
【００２８】
Ｓ６０４で含まれていると判定された場合、この表示装置に表示する内容を編集する。この指示情報編集処理について、図９のフローを用いて詳細に説明する。まず、表示装置情報テーブル７０１の現在読み込まれているレコードで特定される表示装置が今回の表示指示対象であるため、後に表示する時点で使用する指示情報テーブル１１２にＩＤとＩＰアドレスを書き込む（Ｓ９０１）。この指示情報テーブル１１２を、図１０の指示情報テーブル１００１に例示する。なお、この段階では、ＩＤとＩＰアドレスのみが設定されているものとする。
【００２９】
次に、現在読み込まれている経路情報のノードの方向を取得する（Ｓ９０２）。この場合は、交差点識別子＝３５３００６０から交差点識別子＝１４０１０３４の方向であったこととする。この情報に基づき、表示装置情報テーブル７０１を参照し、交差点識別子１と交差点識別子２の組合せと同じか否かを判定する（Ｓ９０３）。この判定の結果、同じであれば、表示装置情報テーブル７０１の基本方向に設定されている方向を指示情報テーブル１００１に転記する（Ｓ９０４、Ｓ９０５）。Ｓ９０３の判定の結果、逆であれば、表示装置情報テーブル７０１の基本方向に設定されている方向とは逆の向きを指示情報テーブル１００１に設定する（Ｓ９０６）。このようにすることにより、現在処理中の表示装置に対する指示情報の編集が完了する。
【００３０】
図６に戻り、Ｓ６０６から説明を続ける。Ｓ６０５で指示情報の編集処理が完了すると、表示装置情報テーブル７０１が最終レコードであるか否かを判定する（Ｓ６０６）。この判定の結果、まだ表示装置情報テーブル７０１に未処理のレコードが存在すると判定された場合は、Ｓ６０２に戻り、次の表示装置に対する処理を行う（Ｓ６０７）。Ｓ６０６の判定の結果、表示装置情報テーブル７０１の全てのレコードの処理が完了したと判定された場合は、Ｓ６０８に進む（Ｓ６０７）。次に、経路情報が最終レコードであるか否かを判定する（Ｓ６０８）。この判定の結果、まだ経路情報に未処理のレコードが存在すると判定された場合は、Ｓ６０１に戻り、次の経路情報に対する処理を行う（Ｓ６０９）。Ｓ６０８の判定の結果、経路情報の全てのレコードの処理が完了したと判定された場合は、全ての経路上の表示装置に対する指示情報作成処理が完了したことになり、図２のＳ２０４の指示情報送信処理に進む。
【００３１】
ここまでの処理で、各表示装置に対する指示情報を格納した指示情報テーブル１００１が完成する。次に、この情報に基づき、各表示装置に対して指示情報を送信する（Ｓ２０４）。この指示情報送信処理について、図１１のフローを用いて詳細に説明する。表示管理サーバ１００の指示情報送信プログラム１０４は、表示指示開始の時間になったか否かを判定する（Ｓ１１０１）。具体的には、表示依頼情報テーブル５０１の開始日時と現在の日時の比較を行う。この判定の結果、まだ指示開始日時になっていないと判断した場合は、Ｓ１１０１に戻り、指示開始日時になるまで定期的に日時の比較を行うことで待ち合わせを行う（Ｓ１１０２）。Ｓ１１０１の判定の結果、指示開始日時になったと判定された場合は、指示情報テーブル１００１の読み込みを行う（Ｓ１１０３）。
【００３２】
次に、読み込んだレコードの“矢印の向き”に設定されている向きに該当する矢印マークを取得する（Ｓ１１０４）。この処理は、当該“矢印の向き”に設定されている向きをキーに、表示管理サーバの図示せぬテーブルから該当する矢印マークを抽出することで実現される。そして、表示依頼情報テーブル５０１から家名を取得する（Ｓ１１０５）。ここまでの処理で、表示装置に表示する矢印及び家名が揃ったので、これらの情報を該当する表示装置に送信する（Ｓ１１０６）。送信にあたっては、指示情報テーブル１００１に設定されているＩＰアドレスを用いる。表示装置１４０は、これらの情報を受信すると、図１２の表示装置の表示例１（１２０１）のような表示を行う。なお、本実施の形態では、矢印マーク自体を情報として表示装置に送信するように記載したが、矢印マークを表示装置側に格納しておき、表示管理サーバ１００からは矢印の向きを指定する情報のみを送信することも可能である。この方法では、送信する情報量が少なくて済むというメリットはあるが、表示装置側に画像情報を持たせるため、各表示装置のメンテナンスコストがかかるというでメリットもある。
【００３３】
次に、指示情報テーブル１００１が最終レコードか否かを判定する（Ｓ１１０７）。この判定の結果、まだ指示情報テーブル１００１に未処理のレコードが存在すると判定された場合は、Ｓ１１０３に戻り、次の指示情報に対する処理を行う（Ｓ１１０８）。Ｓ１１０７の判定の結果、指示情報テーブル１００１の全てのレコードの処理が完了したと判定された場合は、全ての指示情報の送信処理が完了したことになり、図２の停止情報送信処理（Ｓ２０５）に進む。
【００３４】
ここまでの処理で、利用者から指示依頼を受けた指示処理が完了したことになる。次に、利用者から受け付けた情報のうち、表示終了日時に対応して、各表示装置１４０に表示停止処理を行う（Ｓ２０５）。この停止情報送信処理（Ｓ２０５）について、図１３のフローを用いて詳細に説明する。表示管理サーバ１００の停止情報送信プログラム１０６は、表示指示終了の時間になったか否かを判定する（Ｓ１３０１）。具体的には、表示依頼情報テーブル５０１の終了日時と現在の日時の比較を行う。この判定の結果、指示終了日時になっていないと判断した場合は、Ｓ１３０１に戻り、指示終了日時になるまで定期的に日時の比較を行うことで待ち合わせを行う（Ｓ１３０２）。Ｓ１３０１の判定の結果、指示終了日時になったと判定された場合は、指示情報テーブル１００１の読み込みを行う（Ｓ１３０３）。
【００３５】
次に、読み込んだレコードのＩＰアドレスを取得し、当該ＩＰアドレス宛てに表示停止情報の送信を行う（Ｓ１３０４）。表示装置１４０は、この情報を受信すると、現在表示している情報の表示を停止する。次に、指示情報テーブル１００１が最終レコードか否かを判定する（Ｓ１３０５）。この判定の結果、まだ指示情報テーブル１００１に未処理のレコードが存在すると判定された場合は、Ｓ１３０３に戻り、次の指示情報に対する処理を行う（Ｓ１３０６）。Ｓ１３０５の判定の結果、指示情報テーブル１００１の全てのレコードの処理が完了したと判定された場合は、全ての停止情報の送信処理が完了したことになり、本発明の動作は全て終了することになる。
【００３６】
なお、本実施の形態においては、葬儀の喪主が自宅で葬儀を行う際に、表示管理サーバ１００に対して、電信柱１３０に設置された表示装置１４０に、自宅への道案内情報である指差しを表示させる例を説明したが、この形態に限定されるものではない。即ち、利用者からの依頼に基づいて、複数の表示装置に対して方向を示す情報の表示を指示する分野であればどのような形態でも構わないため、例えば、マンションのモデルハウスや新規開店のお店等の場合であっても、上述の技術を転用することが可能である。
【００３７】
更に、経路選択情報によって、経由する交差点に関する情報を特定するため、例えば、図１４の表示装置の表示例２（１４０１）のように、“５０ｍ先右折”というナビゲーション情報を表示することも容易である。
できる。なお、図１４の表示例２の場合の表示コンテンツは、“オープンハウス”という表示をさす。
【００３８】
また、本実施の形態においては、利用者に表示依頼画面４０１で自宅の住所を入力させ、この住所を元に最寄の駅若しくはバス停を検索するように説明したが、当該画面上に最寄の駅若しくはバス停を選択する項目を用意し、利用者が自ら選択するように構成することで、利用者が選択した駅若しくはバス停を基点とした経路選択を行うことも可能である。
【００３９】
なお、本実施の形態においては、表示管理サーバ１００の各プログラムによる処理方法として説明したが、当該プログラムはＣＤ−ＲＯＭ等の記録媒体に格納することで、配布可能となり、このような記録媒体を用いてコンピュータに当該プログラムをインストールすることで、上述のような処理が可能となるものである。
【００４０】
以上の実施形態に関し、更に以下の付記を開示する。
【００４１】
（付記１）
複数の表示装置とネットワークで接続されている表示管理サーバによる該表示装置に対する表示指示方法であって、
利用者端末から表示コンテンツと住所情報とを含む表示依頼情報を受信する受信ステップと、
地図データを用いて、駅／バス停から前記住所までの経路を選択する経路選択ステップと、
前記選択された経路に基づき、該経路に存在する前記表示装置に表示すべき進行方向を決定する進行方向決定ステップと、
前記選択された経路に存在する前記表示装置に対して、前記表示コンテンツと前記進行方向を示す情報とを含む表示指示情報を送信する送信ステップと、
を含むことを特徴とする表示指示方法。
【００４２】
（付記２）
前記表示依頼情報は、表示開始時間と表示終了時間とを含み、
前記送信ステップは、前記表示開始時間に基づいて前記表示指示情報を送信し、前記表示終了時間に基づいて表示停止を指示する表示停止指示情報を送信することを特徴とする付記１記載の表示指示方法。
【００４３】
（付記３）
コンピュータに、
利用者端末から表示コンテンツと住所情報とを含む表示依頼情報を受信する受信ステップと、
地図データを用いて、駅／バス停から前記住所までの経路を選択する経路選択ステップと、
前記選択された経路に基づき、該経路に存在する表示装置に表示すべき進行方向を決定する進行方向決定ステップと、
前記選択された経路に存在する前記表示装置に対して、前記表示コンテンツと前記進行方向を示す情報とを含む表示指示情報を送信する送信ステップと、
を動作させることを特徴とする表示指示プログラム。
【００４４】
（付記４）
地図データと、
利用者端末から表示コンテンツと住所情報とを含む表示依頼情報を受信する受信手段と、
前記地図データを用いて、駅／バス停から前記住所までの経路を選択する経路選択手段と、
前記選択された経路に基づき、該経路に存在する表示装置に表示すべき進行方向を決定する進行方向決定手段と、
前記選択された経路に存在する前記表示装置に対して、前記表示コンテンツと前記進行方向を示す情報とを含む表示指示情報を送信する送信手段と、
を備えることを特徴とする表示指示装置。
【００４５】
（付記５）
コンピュータに、
利用者端末から表示コンテンツと住所情報とを含む表示依頼情報を受信する受信ステップと、
地図データを用いて、駅／バス停から前記住所までの経路を選択する経路選択ステップと、
前記選択された経路に基づき、該経路に存在する表示装置に表示すべき進行方向を決定する進行方向決定ステップと、
前記選択された経路に存在する前記表示装置に対して、前記表示コンテンツと前記進行方向を示す情報とを含む表示指示情報を送信する送信ステップと、
を動作させることを特徴とする表示指示プログラムを格納したコンピュータ読取可能な記録媒体。
【図面の簡単な説明】
【００４６】
【図１】実施の形態のシステム構造図である。
【図２】実施の形態の処理フローである。
【図３】表示依頼情報受信処理の流れを示すフローチャートである。
【図４】表示依頼画面の一例を示す図である。
【図５】表示依頼情報テーブルの一例を示す図である。
【図６】指示情報作成処理の流れを示すフローチャートである。
【図７】表示装置情報テーブルの一例を示す図である。
【図８】表示装置情報例を示す図である。
【図９】指示情報編集処理の流れを示すフローチャートである。
【図１０】指示情報テーブルの一例を示す図である。
【図１１】指示情報送信処理の流れを示すフローチャートである。
【図１２】表示装置の表示例１を示す図である。
【図１３】停止情報送信処理の流れを示すフローチャートである。
【図１４】表示装置の表示例２を示す図である。
【符号の説明】
【００４７】
１００  表示管理サーバ
１０１  表示依頼情報受信プログラム
１０２  経路選択プログラム
１０３  指示情報作成プログラム
１０４  指示情報送信プログラム
１０５  指示情報編集プログラム
１０６  停止情報送信プログラム
１１０  表示依頼情報テーブル
１１１  地図データ
１１２  指示情報テーブル
１１３  表示装置情報テーブル
１２０  利用者端末
１３０  電信柱
１４０  表示装置
１５０  ネットワーク
１３１  サーバ
【図１】
2005148980.tif 000003
【図２】
2005148980.tif 000004
【図３】
2005148980.tif 000005
【図４】
2005148980.tif 000006
【図５】
2005148980.tif 000007
【図６】
2005148980.tif 000008
【図７】
2005148980.tif 000009
【図８】
2005148980.tif 000010
【図９】
2005148980.tif 000011
【図１０】
2005148980.tif 000012
【図１１】
2005148980.tif 000013
【図１２】
2005148980.tif 000014
【図１３】
2005148980.tif 000015
【図１４】
2005148980.tif 000016